(57)【要約】【課題】利用者に認証装置の一部を携帯させて残留生体情報を利用したなりすましを防止する場合に、被携帯側の装置構成を小型化することを課題とする。【解決手段】指紋を撮像するカメラ１４及び照明用のＬＥＤ１５を本体部１１の内部に設けるとともに、利用者の指紋像を反射するプリズム１２ａの表面のうち指紋を載置する載置面に穴からなる指載置窓１２ｂが形成されたプリズムキー１２を本体部１１に着脱可能に形成し、プリズムキー１２が本体部１１に装着された場合に、指載置窓１２ｂ上に載置された利用者の指紋とカメラ１４とをプリズム１２ａを介して結像させる。【選択図】        図４
2008204394.tif 000002
【特許請求の範囲】
【請求項１】
個人生体情報を撮像する撮像部が本体内部に設けられ、該本体表面の一部に形成された開口を介して利用者の生体の一部を前記撮像部により撮像し、該撮像した利用者の個人生体情報に基づいて当該利用者が正当な人物であるか否かを認証する認証装置であって、
前記認証を行う本体部に対して着脱可能に形成されるとともに、前記利用者の生体の一部の像を反射するプリズムを内在するとともに該プリズムの表面のうち前記生体の一部を載置する載置面に穴からなるガイド部が形成された生体載置手段を備え、
前記生体載置手段が前記本体部に装着された場合に、前記ガイド部上に載置された利用者の生体の一部と前記撮像部とを前記プリズムを介して結像させる
ことを特徴とする認証装置。
【請求項２】
前記プリズムに対して前記利用者を一意に特定するための識別情報がコードパターン化された画像をさらに付加することを特徴とする請求項１に記載の認証装置。
【請求項３】
前記プリズムの反射面の下部に前記利用者に関するシンボルを表す画像を埋め込むことを特徴とする請求項１または２に記載の認証装置。
【請求項４】
前記撮像部の光軸上であり、かつ前記載置面、前記プリズムの反射面及び前記撮像部の間で形成される光路長と略同一の距離に所在する合焦点面に撮像用の開口を形成することを特徴とする請求項１、２または３に記載の認証装置。
【請求項５】
認証物を撮像する撮像部により認証情報を読み取り、該読み取った認証情報が正当なものであるか否かを認証する認証装置であって、
前記撮像部の光軸上であり、かつ合焦点面に第１の開口を形成するとともに、当該第１の開口の下部を視認可能となるように第２の開口を形成する
ことを特徴とする認証装置。
【発明の詳細な説明】
【技術分野】
【０００１】
本発明は、個人生体情報を撮像する撮像部が本体内部に設けられ、該本体表面の一部に形成された開口を介して利用者の生体の一部を撮像部により撮像し、該撮像した利用者の個人生体情報に基づいて当該利用者が正当な人物であるか否かを認証する認証装置に関する。
【背景技術】
【０００２】
近年、セキュリティの強化等の理由から扉等の解錠もしくは施錠と解錠を出入りする者の指紋に基づいて行う指紋錠装置が利用される機会が増大している。例えば、特許文献１には、解錠しようとする者の指紋と予め登録した指紋とを比較し、両者が一致した場合に解錠を行う指紋錠装置が開示されている。
【０００３】
また、特許文献２には、利用者の指紋を撮像して指紋画像を送信する送信機と、送信機から送信された指紋画像と予め登録しておいた指紋画像とを認証し、これら両者が一致する場合に扉の解錠制御を行う受信機とを備えた電子キー装置が開示されており、このうち送信機を利用者に携帯させることにより、扉等の出入口から離れた場所からでも利用者の指紋画像を受信機に通知させることができ、利用者が出入りを行う度に指紋錠装置に接近して指紋を入力する操作を強いる不便を解消することができるようにしている。
【０００４】
ところで、特許文献３には、利用者の指紋以外の認証用媒体を用いる認証装置として、建造物の玄関又はロビー等に配設されるカメラにて利用者の携帯電話機等の表示部に表示されるバーコードを読み取り、該読み取ったバーコードから正当な利用者を認証した場合に電気錠を解錠するテレビドアホンが開示されている。
【０００５】
【特許文献１】特開２００２−０７０３８１号公報
【特許文献２】特公平０５−０２２７９１号公報
【特許文献３】特開２００６−９０００６号公報
【発明の開示】
【発明が解決しようとする課題】
【０００６】
しかしながら、上記した特許文献１に係る指紋錠装置は、出入口ドアやその近傍等に取り付け位置が制約されるので、解錠を要求する者の指紋画像を読み取るために指を載置させる指載置部が外部に露出することになる。このため、正規の利用者以外の第三者も指紋認証を自由に試みることができるので、正規の利用者が指紋認証した後の指載置面に付着した残留指紋を手掛かりにゴムやシリコンゴムで偽造指を製造し、この偽造指を用いて第三者が正当者になりすます不正が行われるおそれがある。
【０００７】
一方、上記した特許文献２に係る電子キー装置においては、指紋画像を読み取る撮像部を含む送信機が利用者に携帯されるので、利用者以外の第三者が指紋認証を行う余地をなくすことができ、残留指紋を用いたなりすましを防止できる反面で、少なくとも送信機内に指紋を撮像する撮像部、記憶部、電源（電池）などが必要になり、送信機の装置構成が肥大化してしまうという問題がある。このため、送信機の携帯性は著しく低下し、また、電池交換等のメンテナンスが発生することから利用者の利便性も損なってしまう。さらには、送信機に多くの機能部を搭載する必要があるため、送信機自体の価格も高くなってしまい、その上、利用者人数分の送信機が必要となるため、利用者に大きな負担を強いることになってしまう。
【０００８】
このように、利用者に認証装置の一部を携帯させて残留指紋を利用したなりすましを防止する手法は有効であるが、その場合に被携帯側の装置構成をいかにして小型化するかが極めて重要な課題となっている。なお、かかる課題は、指紋認証にのみ発生する課題ではなく、指紋以外の指関節部分の節に生ずる筋等の個人生体情報を用いる場合にも同様に生ずる課題である。
【０００９】
また、上記した特許文献３に係るテレビドアホンでは、携帯電話機等の表示部に表示された認証情報（バーコード）をカメラの撮像領域にかざす操作を利用者に行わせる必要があるが、認証情報が目視不能な状況下で両者の位置を的確に調節するのは困難である。そのため、認証情報の読み取りが円滑に行われないケースも多く、利用者の利便性を損なってしまうという問題もある。
【００１０】
このことから、利用者の指紋画像以外の認証用媒体を用いて本人認証を行う場合に、被撮像物体の読み取りをいかにして支援し、もって被撮像物体の位置が適正な撮像可能領域からずれることを防止するかが極めて重要な課題となっている。かかる課題が生じる理由としては、被撮像物体の位置を確認するために液晶表示パネルなどの被撮像物体の載置状態を表示する装置を設けると価格が著しく高くなってしまうことが背景にある。
【００１１】
そこで、本発明は、上述した従来技術による課題（問題点）を解消するためになされたものであり、利用者に認証装置の一部を携帯させて残留生体情報を利用したなりすましを防止する場合に、被携帯側の装置構成を小型化することができる認証装置を提供することを目的とする。
【００１２】
また、本発明は、上述した従来技術による課題（問題点）を解消するためになされたものであり、利用者の指紋画像以外の認証用媒体を用いて本人確認を行う場合に、被撮像物体の読み取りを支援し、もって被撮像物体の位置が適正な撮像可能領域からずれるのを防止することができる認証装置を提供することを目的とする。
【課題を解決するための手段】
【００１３】
上述した課題を解決し、目的を達成するために、本発明に係る認証装置は、個人生体情報を撮像する撮像部が本体内部に設けられ、該本体表面の一部に形成された開口を介して利用者の生体の一部を前記撮像部により撮像し、該撮像した利用者の個人生体情報に基づいて当該利用者が正当な人物であるか否かを認証する認証装置であって、前記認証を行う本体部に対して着脱可能に形成されるとともに、前記利用者の生体の一部の像を反射するプリズムを内在するとともに該プリズムの表面のうち前記生体の一部を載置する載置面に穴からなるガイド部が形成された生体載置手段を備え、前記生体載置手段が前記本体部に装着された場合に、前記ガイド部上に載置された利用者の生体の一部と前記撮像部とを前記プリズムを介して結像させることを特徴とする。
【００１４】
また、本発明に係る認証装置は、前記プリズムに対して前記利用者を一意に特定するための識別情報がコードパターン化された画像をさらに付加することを特徴とする。
【００１５】
また、本発明に係る認証装置は、前記プリズムの反射面の下部に前記利用者に関するシンボルを表す画像を埋め込むことを特徴とする。
【００１６】
また、本発明に係る認証装置は、前記撮像部の光軸上であり、かつ前記載置面、前記プリズムの反射面及び前記撮像部の間で形成される光路長と略同一の距離に所在する合焦点面に撮像用の開口を形成したことを特徴とする。
【００１７】
また、本発明に係る認証装置は、認証物を撮像する撮像部により認証情報を読み取り、該読み取った認証情報が正当なものであるか否かを認証する認証装置であって、前記撮像部の光軸上であり、かつ合焦点面に第１の開口を形成するとともに、当該第１の開口の下部を視認可能となるように第２の開口を形成したことを特徴とする。
【発明の効果】
【００１８】
本発明によれば、認証を行う本体部に対して着脱可能に形成されるとともに、利用者の生体の一部の像を反射するプリズムを内在するとともに該プリズムの表面のうち生体の一部を載置する載置面に穴からなるガイド部が形成された生体載置手段を備え、生体載置手段が本体部に装着された場合に、ガイド部上に載置された利用者の生体の一部と撮像部とをプリズムを介して結像させるよう構成したので、利用者に携帯させる生体載置手段を載置部及びプリズムの簡易な部品のみで構成することができ、被携帯側の装置構成を飛躍的に小型化することが可能な認証装置が得られるという効果を奏する。
【００１９】
また、本発明によれば、プリズムに対して利用者を一意に特定するための識別情報がコードパターン化された画像をさらに付加するよう構成したので、同一の撮像部で利用者の生体情報の一部及びコードパターン化された識別情報を撮像することが可能な認証装置が得られるという効果を奏する。
【００２０】
また、本発明によれば、プリズムの反射面の下部に利用者に関するシンボルを表す画像を埋め込むよう構成したので、利用者が自身のプリズムキー１２を視覚的に判別することが可能な認証装置が得られるという効果を奏する。
【００２１】
また、本発明によれば、撮像部の光軸上であり、かつ載置面、プリズムの反射面及び撮像部の間で形成される光路長と略同一の距離に所在する合焦点面に撮像用の開口を形成するよう構成したので、撮像時に利用者の指紋に接触せずに指紋画像を撮像することができ、利用者の指が水に濡れている場合でも認証に耐え得る指紋画像を得ることが可能な認証装置が得られるという効果を奏する。
【００２２】
また、本発明によれば、撮像部の光軸上であり、かつ合焦点面に第１の開口を形成するとともに、当該第１の開口の下部を視認可能となるように第２の開口を形成するよう構成したので、第１の開口及び第２の開口を通して被撮像物体と撮像可能領域とを目視にて確認することができ、被撮像物体の位置が撮像可能領域からずれるのを防止することが可能な認証装置が得られるという効果を奏する。
【発明を実施するための最良の形態】
【００２３】
以下に添付図面を参照して、本発明に係る認証装置の好適な実施例を詳細に説明する。なお、本実施例では、扉の施解錠を制御する錠制御装置に対して利用者の認証結果を供給する場合を例示することとする。
【実施例１】
【００２４】
まず、本実施例１に係る認証装置１０の外観構成等について図１〜図５を用いて説明する。図１は、実施例１に係る認証装置１０の本体部１１とプリズムキー１２が分離された状態を示す外観斜視図であり、図２は、図１に示した認証装置１０の本体部１１及びプリズムキー１２の断面図であり、また、図３は、図１に示した認証装置１０の本体部１１にプリズムキー１２が装着された状態を示す外観斜視図である。図４は、図１に示した認証装置１０の本体部１１にプリズムキー１２が装着された場合における指紋像の光路を説明するための説明図であり、図５は、利用者による認証装置１０の操作態様を説明するための説明図である。
【００２５】
図１に示すように、この認証装置１０では、解錠しようとする者（以下、「利用者」と言う）の指紋画像を用いて正当な人物であるか否かを認証する本体部１１と、利用者により携帯されるプリズムキー１２とから構成される。
【００２６】
この本体部１１には、図２に示すスロット（孔）１３が形成されており、このスロット１３にプリズムキー１２が挿入されると、図３に示すように、プリズムキー１２が本体部１１に装着されることなる。
【００２７】
このように、プリズムキー１２を本体部１１に対して着脱可能に形成する理由は、プリズムキー１２を利用者に携帯させることで、正当な利用者以外の第三者が指紋認証を行う余地をなくし、もって残留指紋を用いたなりすましを防止するためである。
【００２８】
このプリズムキー１２は、図４に示すように、利用者の指紋像を反射するプリズム１２ａを内在するとともに該プリズム１２ａの表面のうち指紋を載置する載置面に穴からなる指載置窓（ガイド部）１２ｂが形成されており、このプリズムキー１２が本体部１１に装着された状態で利用者の指（親指が好ましいがいずれの指でもよい）が指載置窓１２ｂに載置されると（図５参照）、指載置窓１２ｂ上に載置された利用者の指紋像が、指載置窓１２ｂを通過してからプリズム１２ａの底面で反射し、その後に側面Ａ及び本体部１１の開口（図示せず）を通過してカメラ１４に結像した状態になる。なお、図２では、説明の便宜上、本体部１１のボディを透過させた説明図としているが、実際には、カメラ１４は外部に露出しておらず、カメラ１４の光軸には開口が設けられている。
【００２９】
このように、利用者の指紋像がカメラ１４に結像されると、カメラ１４で指の指紋を撮像可能な状態となる。このカメラ１４は、指の指紋を撮像するための撮像装置であり、Ｃ−ＭＯＳカメラやＣＣＤカメラ等により形成される。また、カメラ１４の近傍には、カメラ１４の光軸方向に光を照射して照明するＬＥＤ１５が設けられている。
【００３０】
このため、このプリズムキー１２が本体部１１に装着された状態で利用者の指が載置されると、利用者の指紋像がカメラ１４に結像され、指載置窓１２ｂ上に載置された指に対してＬＥＤ１５から照明を照射しつつ、この指の指紋をカメラ１４で撮像することが可能になる。
【００３１】
また、プリズムキー１２を本体部１１に装着して始めて利用者の指紋像がカメラ１４に結像されるため、プリズムキー１２が本体部１１から取り外されている場合には、撮像機能ならびに認証機能の発揮を禁止することができる。
【００３２】
したがって、本実施例１では、指紋を撮像するカメラ１４及び照明用のＬＥＤ１５を本体部１１の内部に設けるとともに、利用者の指紋像を反射するプリズム１２ａの表面のうち指紋を載置する載置面に穴からなる指載置窓１２ｂが形成されたプリズムキー１２を本体部１１に着脱可能に形成し、プリズムキー１２が本体部１１に装着された場合に、指載置窓１２ｂ上に載置された利用者の指紋とカメラ１４とをプリズム１２ａを介して結像させるように構成しているので、利用者に携帯させるプリズムキー１２を指載置窓１２ｂ及びプリズム１２ａの簡易な部品のみで構成することができ、被携帯側の装置構成を飛躍的に小型化することが可能になる。
【００３３】
また、この本体部１１のスロット１３近傍にはスイッチ２１が設けられており、プリズムキー１２が本体部１１に装着されたならば、このスイッチ２１が押下されてオン状態となり、カメラ１４及びＬＥＤ１５の電源が投入され、指紋画像が撮像されるよう構成している。したがって、利用者がプリズムキー１２を本体部１１に装着するだけで、カメラ１４により指紋が自動撮像されることになる。
【００３４】
一方、プリズムキー１２が本体部１１から取り外されたならば、このスイッチ２１がオフとなり、カメラ１４及びＬＥＤ１５の電源が自動的に断にされるよう構成している。したがって、利用者は電源オン・オフの操作を意図的に行わなくとも、プリズムキー１２を着脱するだけで電源オン〜指紋画像の撮像〜電源オフの一連の処理を行わせることができる。
【００３５】
また、この認証装置１０は、上記カメラ１４で撮像された画像から指紋領域を切り出した後にこれを用いて認証処理を行い、この認証結果を別装置である錠制御装置に送信するよう構成している。
【００３６】
次に、図１〜図５に示した認証装置１０の内部構成について説明する。図６は、図１〜図５に示した認証装置１０の内部構成を示す機能ブロック図である。図６に示すように、この認証装置１０は、スイッチ（ＳＷ）２１、スイッチ（ＳＷ）２１ａ及び電池２２を有する電源部２０と、画像入力部３１、送受信部３２、記憶部３３及び信号処理部３４を有する制御部３０とからなる。
【００３７】
電源部２０は、電池２２の電力を制御部３０並びにカメラ１４及びＬＥＤ１５に供給する電源であり、スイッチ２１又は２１ａのオン・オフにより電力の供給及び断が制御される。このスイッチ２１は、すでに説明したプリズムキー１２の着脱操作に応じてオン・オフされ、図１に示した分離状態ではオフ状態にあり、図３に示した装着状態ではオン状態となる。なお、スイッチ２１ａは、後述する撮像窓６０に認証物が押し付けられたか否かによりオン・オフされる。
【００３８】
このため、プリズムキー１２が本体部１１に装着されると、制御部３０並びにカメラ１４及びＬＥＤ１５に電力が供給され、指載置窓１２ｂ上に載置された指の指紋を撮像して認証処理が実行できる状態となる。
【００３９】
制御部３０は、認証装置１０の全体制御を行う制御部であり、カメラ１４及びＬＥＤ１５を用いた指紋画像の撮像、指紋領域の切り出し、登録指紋画像の読出、認証処理、認証結果の送信等を行う。
【００４０】
画像入力部３１は、カメラ１４及びＬＥＤ１５を用いて指紋画像の撮像制御を行うデバイスドライバであり、具体的には、電力の供給を受けてこの画像入力部３１が起動したならば直ちにＬＥＤ１５を点灯させ、このＬＥＤから光を照射した後にカメラ１４に対して撮像指示を行う。そして、撮像された指紋画像を信号処理部３４に対して出力する。
【００４１】
送受信部３２は、認証結果を錠制御装置に送信するための通信手段である。記憶部３３は、信号処理部３４による各種処理に必要なデータ（登録指紋画像）およびプログラム（認証プログラム）を記憶する不揮発性メモリ等の記憶デバイスである。
【００４２】
信号処理部３４は、指紋領域切出部３４ａと認証処理部３４ｂとを有する。この指紋領域切出部３４ａは、画像入力部３１から受け取った指紋画像の中から指紋対象領域を切り出す処理を行う処理部である。カメラ１４で撮像した画像の中には、指紋領域以外の領域が含まれているからである。かかる切り出し処理とともに、回転補正、平行移動や倍率補正（または倍率調整）等の処理を併せて行うこともできる。
【００４３】
認証処理部３４ｂは、指紋領域切出部３４ａによって切り出された指紋領域の画像を認証処理する処理部である。具体的には、指紋領域切出部３４ａによって切り出された入力指紋画像と、記憶部３３から読み出した登録指紋画像とを比較して、これら両者が一致するか否かを認証する。
【００４４】
次に、本実施例１に係る認証装置１０の処理手順について説明する。図７は、実施例１に係る認証装置１０の処理手順を示すフローチャートである。同図に示すように、この認証装置１０は、プリズムキー１２が本体部１１に装着されると、その装着操作に応答してスイッチ２１がオンとなり、制御部３０に電力が供給されるとともに（ステップＳ１０１）、ＬＥＤ１５が点灯制御される（ステップＳ１０２）。
【００４５】
そして、かかるＬＥＤ１５による照明下でカメラ１４に対する撮像指示が行われ、指載置窓１２ｂ上に載置された指の指紋画像が撮像される（ステップＳ１０３）。その後、指紋領域切出部３４ａによってこの指紋画像から指紋領域が切り出され（ステップＳ１０４）、記憶部３３から登録指紋画像が読み出される（ステップＳ１０５）。
【００４６】
ここで、認証処理部３４ｂによって入力指紋画像及び登録指紋画像を用いた認証処理が行われ（ステップＳ１０６）、その認証結果を別装置である錠制御装置に対して送信する（ステップＳ１０７）。
【００４７】
かかる認証結果の送信を終えたならば、ＬＥＤ１５を消灯するとともに（ステップＳ１０８）、本体部１１からプリズムキー１２が取り外されると、その取り外し操作に応答してスイッチ２１がオフとなり、カメラ１４及び制御部３０への電力供給が停止される（ステップＳ１０９）。
【００４８】
上述してきたように、本実施例１では、指紋を撮像するカメラ１４及び照明用のＬＥＤ１５を本体部１１の内部に設けるとともに、本体部１１に対して着脱可能に形成されるとともに、利用者の指紋像を反射するプリズム１２ａの表面のうち指紋を載置する載置面に穴からなる指載置窓１２ｂが形成されたプリズムキー１２を本体部１１に着脱可能に形成し、プリズムキー１２が本体部１１に装着された場合に、指載置窓１２ｂ上に載置された利用者の指紋とカメラ１４とをプリズム１２ａを介して結像させるように構成したので、利用者に携帯させるプリズムキー１２を指載置窓１２ｂ及びプリズム１２ａの簡易な部品のみで構成することができ、被携帯側の装置構成を飛躍的に小型化することが可能になる。
【００４９】
ところで、上記した実施例１では、カメラ１４により撮像された利用者の指紋画像を用いて認証処理を行う実施例を説明したが、カメラ１４により撮像される画像の中に他の認証情報を付加することで、セキュリティをさらに向上させることができる。
【００５０】
例えば、図８に示すように、本体部１１の記憶部３３にて利用者の登録指紋画像及び利用者ＩＤを紐付けた上で、プリズム４０に利用者ＩＤを表すバーコード４１を印刷し、このプリズム４０をプリズムキー４２に組み込んでおけば、当該プリズムキー４２が本体部１１に装着された状態で利用者の指が指載置窓１２ｂに載置されると、指載置窓１２ｂ上に載置された利用者の指紋像に加えてバーコード４１の像がカメラ１４に結像され、同一のカメラ１４で指の指紋及びバーコード４１を撮像することができる。
【００５１】
その後、カメラ１４によって撮像された画像から利用者の指紋画像及びバーコード４０の画像を切り出し、該バーコード４０に対応する利用者ＩＤが記憶部３３に登録されており、かつ当該利用者の入力指紋画像が利用者ＩＤに紐付けられた登録指紋画像と一致したケース以外は認証結果をＮＧとすることで、よりセキュアな認証装置を提供することができる。また、利用者ＩＤに紐付けられた登録指紋画像を一意に特定することができるので、本体部１１の記憶部３３に記憶されている登録指紋画像すべてに対して認証処理を行う必要がなくなり、認証処理速度も向上させることができる。また、バーコードの代わりに２次元コードやシンボル等の認識可能なものを使用しても良い。
【００５２】
また、プリズムキー１２に利用者ＩＤが記憶されたＩＣチップ５０を組み込んだ場合（図９参照）でも同様の効果が得られる。なお、この場合には、ＩＣチップ５０と通信を行うリーダライタを本体部１１に設ける必要がある。
【００５３】
また、上記した実施例１では、プリズムキー１２を携帯する利用者間においては同様のプリズムキー１２が用いられるので、利用者はプリズムキー１２を視認しても自身のプリズムキー１２を判別することができない。これを解消するために、例えば、図１０に示すように、プリズム１２ａの全反射面の下部に利用者に関するシンボルを表す画像（例えば、利用者自身の写真、利用者が好きなキャラクタ又は名前など）を埋め込むことで、利用者が自身のプリズムキー１２を視覚的に判別することが可能になる。
【００５４】
なお、上記した実施例１では、指の指紋を撮像対象とした場合について説明したが、本発明はこれに限定されるものではなく、人の指関節に生じる節を撮像対象とした場合に適用することもできる。かかる節に生ずる筋は、最近では個人ごとに異なる個人生体情報の一種であると考えられているからである。
【実施例２】
【００５５】
さて、上記した実施例１では、指載置窓１２ｂ及びプリズム１２ａの反射面を介して利用者の指紋像をカメラ１４に結像させる例を説明したが、本実施例２では、職業特性により指紋が磨り減って紋様をなしていないために指紋認証を利用できない人物ならびにプリズムキー１２を紛失又は破損した人物を救済する観点から、同一のカメラ１４で撮像を行いながらもプリズム１２ａを介在させない光路を用いて利用者の指紋以外の認証用媒体を撮像する例について説明する。
【００５６】
すなわち、本実施例２では、図１１に示すように、カメラ１４の光軸上であり、かつ指載置窓１２ｂ、プリズム１２ａの反射面及びカメラ１４の間で形成される光路長と略同一の距離に所在する合焦点面に撮像窓６０（図１２に示す撮像用の開口）を形成し、この撮像窓６０を介して被撮像物体をカメラ１４に結像させる。
【００５７】
ここで、プリズム１２ａを装着するスロット１３の底面は空洞になっていて筐体の下面に開口している撮像窓６０がある。図１２に示すように、この撮像窓６０に下側より撮像したい物体をあてがって撮像を行うことで、この筐体下面の撮像窓６０を通して被撮像物体と撮像可能領域（撮像窓６０の大きさ）とを目視にて確認することができ、被撮像物体の位置が撮像可能領域からずれるのを防止することができる。
【００５８】
例えば、図１３−１に示すように、カードに印刷された認証用のシンボルを被撮像物体とした時には、これらシンボルのうち登録時に本体部１１の記憶部３３に登録したシンボルを利用者に記憶させておき、認証時には利用者により記憶されていたシンボルが撮像窓６０の下側にかざされると、カードによりスイッチ２１ａ（図２参照）が押下されてスイッチ２１ａがオン状態になり、カメラ１４及びＬＥＤ１５に電力が供給され、利用者がかざしたカード表面のシンボルがカメラ１４によって撮像される。この撮像シンボルと登録シンボルが一致するか否かを認証すれば、カードという鍵に加えて利用者の記憶情報も利用していることになり、よりセキュアな認証装置を提供することができる。なお、かかるカードは、例えば表面に旗やテープなどの異なるシンボルを複数印刷しておくとともに、対応する位置の裏面に２次元コードを印刷させたものである。
【００５９】
なお、ここでは、カードに印刷された認証用のシンボルを例に挙げたが、携帯電話機の表示部に表示される画像についても同様のことができる。例えば、利用者は携帯電話機の表示部に好みの画像を記憶させておき、認証時にはその画像を表示部に呼び出して利用させることで、同様に、利用者の記憶情報を利用することができる。
【００６０】
また、この撮像窓６０を用いて撮像する場合でも、図１３−２に示す利用者の指のシワ（関節紋）や図１３−３に示す利用者の指紋を撮像することもできる。このように、この撮像窓６０から利用者の指紋を撮像すれば、プリズム１２ａを用いて利用者の指紋を撮像する場合に比較して、指が水に濡れている場合でも画像を得やすいというメリットや非接触で画像を取得するために残留指紋が残らないというメリットがある。
【００６１】
上述してきたように、本実施例２では、カメラ１４の光軸上であり、かつ指載置窓１２ｂ、プリズム１２ａの反射面及びカメラ１４の間で形成される光路長と略同一の距離に所在する合焦点面に撮像窓６０を形成するように構成しているので、撮像時に利用者の指紋に接触せずに指紋画像を撮像することができ、利用者の指が水に濡れている場合でも認証に耐え得る指紋画像を得ることが可能になる。
【００６２】
また、本実施例２では、プリズム１２ａを用いて利用者の指紋を撮像する場合と、撮像窓６０を通じて利用者の認証用媒体を撮像する場合とで照明を共用することができ、認証装置のコストを低減させることができる。
【００６３】
なお、上記した実施例１及び２では、図３に示すように、大型の認証装置１０（本体部１１）を説明したが、図１４−１及び図１４−２のように認証装置を構成すると小型化することができる。図１４−１に示すように、非接触で認証物を画像入力するためのガイド部７０が本体に覆いかぶさった状態になっている状態では、スロット１３にプリズムキー１２を受け入れていればプリズム１２ａによる指紋画像入力が可能な状態であり、ガイド部７０を回転軸を中心にして下方に回転させると、図１４−２に示すように、カメラ１４の焦点の合った位置に被撮像物体を提示するための窓が来るようになっている。
【００６４】
また、上記した実施例１及び２では、プリズム１２における指紋像の光路以外の部分をケースで覆ったプリズムキー１２を形成した場合の例を説明したが、本発明はこれに限定されるものではなく、より利用者の利便性を高めるようにプリズムキー１２を構成することができる。
【００６５】
例えば、図１５−１に示すように、プリズムキー１２にバンド部８０を付設するとともに、プリズムキー１２と接続される一端には磁石８１を埋め込み、他端には鉄板８２を埋め込んだプリズムキー１２を構成する。かかるプリズムキー１２を構成すれば、利用者がプリズムキー１２を本体部１１のスロット１３に挿入する場合には、バンド部８０をまっすぐ伸ばした状態でプリズムキー１２の本体を支持させることで、利用者がプリズムキー１２を手に持つ際にプリズムキー１２本体をつかまずとも安定して保持することができ、本体部１１のスロット１３の縁に手指を接触させることなく、プリズムキー１２を挿入することが可能になる。また、利用者がプリズムキー１２を携帯する場合には、図１５−２に示すように、プリズムキー１２にバンド部８０を巻き付け、バンド部８０の一端に埋め込まれた鉄板８２を他端の磁石８１に吸着させることで、バンド部８０の屈曲位（プリズムキー１２にバンド部８０が巻き付けられた状態）を保持することができ、利用者の携帯性を損なわずに指載置窓１２ｂから露出するプリズム１２ａの表面を保護することができる。
【産業上の利用可能性】
【００６６】
以上のように、本発明に係る認証装置は、利用者に認証装置の一部を携帯させて残留生体情報を利用したなりすましを防止する場合に、被携帯側の装置構成を小型化することに適している。
【００６７】
また、本発明に係る認証装置は、利用者の指紋画像以外の認証用媒体を用いて本人確認を行う場合に、被撮像物体の読み取りを支援し、もって被撮像物体の位置が適正な撮像可能領域からずれるのを防止することに適している。
【図面の簡単な説明】
【００６８】
【図１】実施例１に係る認証装置１０の本体部１１とプリズムキー１２が分離された状態を示す外観斜視図である。
【図２】図１に示した認証装置１０の本体部１１及びプリズムキー１２の断面図である。
【図３】図１に示した認証装置１０の本体部１１にプリズムキー１２が装着された状態を示す外観斜視図である。
【図４】図１に示した認証装置１０の本体部１１にプリズムキー１２が装着された場合における指紋像の光路を説明するための説明図である。
【図５】利用者による認証装置１０の操作態様を説明するための説明図である。
【図６】図１〜図５に示した認証装置１０の内部構成を示す機能ブロック図である。
【図７】実施例１に係る認証装置１０の処理手順を示すフローチャートである。
【図８】実施例１に係るプリズムキーの応用例を説明する説明図である。
【図９】実施例１に係るプリズムキーの応用例を説明する説明図である。
【図１０】実施例１に係るプリズムキーの応用例を説明する説明図である。
【図１１】実施例２に係る認証装置１０の特徴を説明するための説明図である。
【図１２】本体部１１の撮像窓６０を説明するための説明図である。
【図１３−１】撮像窓６０から撮像する認証物の一例を示す図である。
【図１３−２】撮像窓６０から撮像する認証物の一例を示す図である。
【図１３−３】撮像窓６０から撮像する認証物の一例を示す図である。
【図１４−１】認証装置１０を小型化するための一例を示す図である。
【図１４−２】認証装置１０を小型化するための一例を示す図である。
【図１５−１】実施例１に係るプリズムキー１２の応用例を説明する説明図である。
【図１５−２】実施例１に係るプリズムキー１２の応用例を説明する説明図である。
【符号の説明】
【００６９】
１０  認証装置
１１  本体部
１２  プリズムキー
１２ａ  プリズム
１２ｂ  指載置窓
１３  スロット
１４  カメラ
１５  ＬＥＤ
２０  電源部
２１，２１ａ  スイッチ（ＳＷ）
２２  電池
３０  制御部
３１  画像入力部
３２  送受信部
３３  記憶部
３４  信号処理部
３４ａ  指紋領域切出部
３４ｂ  認証処理部
【図１】
2008204394.tif 000003
【図２】
2008204394.tif 000004
【図３】
2008204394.tif 000005
【図４】
2008204394.tif 000006
【図５】
2008204394.tif 000007
【図６】
2008204394.tif 000008
【図７】
2008204394.tif 000009
【図８】
2008204394.tif 000010
【図９】
2008204394.tif 000011
【図１０】
2008204394.tif 000012
【図１１】
2008204394.tif 000013
【図１２】
2008204394.tif 000014
【図１３−１】
2008204394.tif 000015
【図１３−２】
2008204394.tif 000016
【図１３−３】
2008204394.tif 000017
【図１４−１】
2008204394.tif 000018
【図１４−２】
2008204394.tif 000019
【図１５−１】
2008204394.tif 000020
【図１５−２】
2008204394.tif 000021